(57)【特許請求の範囲】
【請求項１】
同期デジタルハイアラーキ（ＳＤＨ）ネットワークにおけるデータ送信方法において、
連結されたデータ信号を、前記ネットワークの外から前記ネットワークのノードに送信する工程と、
前記データ信号を仮想連結情報構体に変換し、前記仮想連結情報構体で前記ネットワークを介して前記データ信号を転送させる工程と
を有し、
前記データ信号の変換が前記データ信号のパスオーバーヘッドを処理する工程を含み、更に、前記仮想連結情報構体でのフレームシーケンスを指示するために前記パスオーバヘットの一部を使用する工程を含み、前記パスオーバーヘッド情報の保全性を維持することを特徴とするＳＤＨネットワークにおけるデータ送信方法。
【請求項２】
前記ネットワークに送信された前記連結されたデータ信号の信号形態に戻すように信号を変換する工程であって、前記ネットワークで送信された信号の変換にはパスオーバーヘッドを処理する工程を含み、更に、前記仮想連結情報構体でフレームシーケンスを指示するために使用されたパスオーバーヘッドの前記一部を復元する工程を含み、前記パスオーバーヘッド情報の保全性を維持する請求項１記載のＳＤＨネットワークにおけるデータ送信方法。
【請求項３】
前記ネットワーク外からの前記データ信号は仮想コンテナ４（ＶＣ−４）または仮想コンテナ３（ＶＣ−３）を有する請求項１または２に記載のＳＤＨネットワークにおけるデータ送信方法。
【請求項４】
前記パスオーバーヘッドはＨ４バイト、Ｊ１バイト、Ｂ３バイトを有し、
前記ＶＣ−４およびＶＣ−３は複数のフレームを有し、
仮想連結情報構体のＶＣ−４ｓあるいはＶＣ−３ｓの配列を指示するために、前記Ｊ１バイトを用いる前記ＶＣ−４あるいはＶＣ−３の中で、フレームシーケンスを示すために前記Ｈ４バイトを用いる工程と、前記Ｂ３バイトに保持されるエラー指示情報を適宜補正する工程とを含む前記パスオーバーヘッドの処理工程を有する請求項３記載のＳＤＨネットワークにおけるデータ送信方法。
【請求項５】
前記ネットワーク外から前記ネットワークのノードに、４つの連続連結されたＶＣ−４ｓを含む信号を送信する工程と、
前記ネットワークでの転送のため、前記４つのＶＣ−４ｓを仮想連結されたＶＣ−４ｓを含む仮想連結情報構体に処理する工程とを有する請求項４記載のＳＤＨネットワークにおけるデータ送信方法。
【請求項６】
前記ネットワーク外から前記ネットワークのノードに、５つの連続連結されたＶＣ−３ｓを含む信号を送信する工程と、
前記ネットワークでの転送のため、前記５つのＶＣ−３ｓを仮想連結されたＶＣ−３ｓを含む仮想連結情報構体に処理する工程とを有する請求項４記載のＳＤＨネットワークにおけるデータ送信方法。
【請求項７】
前記仮想連結情報構体の仮想連結された仮想コンテナ（ＶＣｓ）をバッファの適用により整列させる請求項５または６に記載のＳＤＨネットワークにおけるデータ送信方法。
【請求項８】
前記Ｊ１バイトおよびＨ４バイトの内容に基づいて前記仮想コンテナの整列を制御する工程を有する請求項７記載のＳＤＨネットワークにおけるデータ送信方法。
【請求項９】
一つまたは複数の同期転送モジュール（ＳＴＭ）において、同じルートで前記仮想連結情報構体のＶＣ−４あるいはＶＣ−３フレームを切替えおよび送信する工程を有する請求項５から８の何れかに記載のＳＤＨネットワークにおけるデータ送信方法。
【請求項１０】
前記ネットワーク外からの前記データ信号は仮想コンテナ２（ＶＣ−２）または仮想コンテナ１（ＶＣ−１）を有する請求項１または２に記載のＳＤＨネットワークにおけるデータ送信方法。
【請求項１１】
前記パスオーバーヘッドはＶ５バイト、Ｊ２バイト、Ｎ２バイト、Ｋ４バイトを有し、
前記パスオーバーヘッドの内容を前記データ信号の未使用部に転送する工程を含む前記パスオーバーヘッドの処理工程を有する請求項１０記載のＳＤＨネットワークにおけるデータ送信方法。
【請求項１２】
前記ネットワーク外から前記ネットワークのノードに、複数の連続連結されたＶＣ−２ｓまたはＶＣ−１ｓを含む信号を送信する工程と、
ネットワークでの転送のため、前記ＶＣ−２ｓまたはＶＣ−１ｓを仮想連結されたＶＣ−２ｓまたはＶＣ−１ｓを含む仮想連結情報構体に処理する工程とを有する請求項１１記載のＳＤＨネットワークにおけるデータ送信方法。
【請求項１３】
前記仮想連結情報構体の仮想連結されたＶＣｓをバッファの適用により整列させる請求項１２記載のＳＤＨネットワークにおけるデータ送信方法。
【請求項１４】
前記データ信号の使われていない部分に転送されたパスオーバーヘッドバイトの内容に基づいて前記仮想コンテナの整列を制御する工程を有する請求項１３記載のＳＤＨネットワークにおけるデータ送信方法。
【請求項１５】
前記ネットワーク外から受信された前記連続連結されたＶＣ−２ｓまたはＶＣ−１ｓは複数のフレームを一組のシーケンスとして有し、
前記複数のフレームのシーケンスはネットワーク上を転送される間に変更することがあり、要求に応じて前記複数のフレームを前記一組のシーケンスに再度整理する請求項１２記載のＳＤＨネットワークにおけるデータ送信方法。
【請求項１６】
前記ＶＣ−２ｓおよびＶＣ−１ｓは複数のフレームを有し、
一つまたは複数の同期転送モジュール（ＳＴＭ）において、同じルートで前記ＶＣ−２あるいはＶＣ−１フレームを切替えおよび送信する工程を有する請求項１２から１５の何れかに記載のＳＤＨネットワークにおけるデータ送信方法。
【請求項１７】
前記ネットワークによる連結形態の信号受信を認識する工程を有する請求項１から１６の何れかに記載のＳＤＨネットワークにおけるデータ送信方法。
【請求項１８】
仮想連結情報構体でデータを転送するための同期デジタルハイアラーキ（ＳＤＨ）ネットワークにおいて、
当初の連結形式の受信信号を前記ネットワーク上で転送させるために、前記受信信号を仮想連結形態に変換処理をするための配置構成を成したトリビタリーインターフェイスが有り、
更に、前記インターフェイスが前記仮想連結情報構体の中でフレームシーケンスを指示するために、パスオーバーヘッドの一部を使用する方法で前記受信信号の前記パスオーバーヘッドを処理する手段を含み、前記パスオーバーヘッド情報の保全性を維持するネットワークであることを特徴とする同期デジタルハイアラーキ（ＳＤＨ）ネットワーク。
【請求項１９】
前記トリビタリーインターフェイスは、前記仮想連結形態で前記ネットワーク上を転送された信号が連続連結形態に変換処理可能なように設置構成されている請求項１８記載のＳＤＨネットワーク。
【請求項２０】
前記仮想連結形態の信号は仮想コンテナ（ＶＣ）を有し、前記トリビタリーインターフェイスは前記仮想コンテナ（ＶＣ）を整列させるためにバッファを一つ以上有する請求項１９記載のＳＤＨネットワーク。
【請求項２１】
前記トリビタリーインターフェイスは、前記受信信号の連結表示を検出することにより、連続連結形態の前記信号受信を検出するように設置構成される請求項１８から２０の何れかに記載のＳＤＨネットワーク。
【発明の詳細な説明】
【０００１】
【発明の属する技術分野】
本発明は同期デジタルハイアラーキ（ＳＤＨ（Synchronous Digital Hierarchy））ネットワーク、およびＳＤＨにおけるデータ送信方法に関する。
【０００２】
【従来の技術】
ＳＤＨにおいて、データは、仮想コンテナで知られる情報構体として転送される。仮想コンテナ（ＶＣ(Virtual Container)）はＳＤＨにおける情報構体であり、ＶＣは情報ペイロードおよびパスオーバーヘッド（ＰＯＨ（Path Overhead））により構成される。ＶＣには、低位（ＬＯＶＣ（Low Order Virtual Container））および高位（ＨＯＶＣ（High Order Virtual Container））の２種類のＶＣがある。ＬＯＶＣｓ（ＶＣ−１２、ＶＣ−２、ＶＣ−３等）は１４０Ｍｂ／ｓ以下の信号に対応するものであり、ＨＯＶＣｓ（ＶＣ−４等）は１４０Ｍｂ／ｓ以上の信号に対応するものである。
【０００３】
高データレートへの需要が大きくなるにつれ、ネットワーク（例えばＳＤＨを基盤とするネットワーク等）におけるデータ転送能力向上への要求が高まっている。高帯域を可能とする一方法として連結（concatenation）がある。
【０００４】
連結とは、定められた情報構体の容量よりも大きい帯域幅を有するペイロードのＳＤＨネットワーク上における転送方法である。ＩＴＵ（International Telecommunication Union）基準のＧ．７０７では連結を次のように定義している。「連結とは、多様な仮想コンテナが互いに連携し、その結果として、それらコンテナの結合した容量はビットシーケンス保全性が維持される一つのデータコンテナとして適用することが可能となる過程である」。連続連結（contiguous concatenation）および仮想連結（virtual concatenation）の２種類の連結が提案されている。
【０００５】
連続連結は、ＩＴＵのＧ．７０７等において定義されている。ＶＣ−２の仮想連結もまたＩＴＵのＧ．７０７において定義されているが、それ以前に該仮想連結を実施する手段が定義されておらず、従って該仮想連結は未だ実施されていない。ＶＣ−４の仮想連結は概念として提案されているが、該仮想連結を実施する方法は未だ考案されていない。また、連続連結された信号と仮想連結された信号との間で変換を可能とする方法は定義されていない。
【０００６】
【発明が解決しようとする課題】
連続連結では、各連結フレームと連携するポインタ（Pointer）において連結表示子（concatenation indicator）を適用しており、ポインタが連携するＶＣが連結していることを装置内のポインタプロセッサに指示する。例えば、４つのＶＣ−４ｓを連続連結させることで、ＶＣ−４−４ｃに相当するデータレートを有する情報構体が生成される。その結果、ＶＣ−４−４ｃ相当の信号は、１つのパスオーバーヘッド（Path Overhead）しか持たず、即ち９バイトのみしか持たない。しかし、多くのＳＤＨ搭載ネットワークは、連続連結を支持するために必要な処理を実行することができない。このようなＳＤＨネットワークにおいて連続連結を可能とするためには、連結信号に対応できるように装置のハードウェアを変更する必要がある。このようなネットワークにおいて適切な変更を可能とするためのコストは法外である。
【０００７】
このような場合、利用者が、ブロードバンドサービスのような、ＳＤＨ搭載ネットワークが対応不能である高帯域を要するデータの転送を希望する際に問題が生じる。例えば、利用者が、ＶＣ−４−４ｃ形式のデータを転送しようとしても、連結を支持しないＳＤＨネットワークにおいてはデータを転送することは不可能となる。
【０００８】
本発明は、上記事情に鑑みなされたもので、高帯域の信号に対応可能なＳＤＨネットワークを提供することを目的とする。また本発明のさらなる目的は、自身は連続連結された信号を保持することができないＳＤＨネットワーク上において連続連結の仮想コンテナにデータを保持するＳＴＭ信号の情報内容の転送を支持することである。
【０００９】
【課題を解決するための手段】
本発明は、ネットワークの外からネットワークのノードにデータ信号の一形態を送信す
る工程と、データ信号を仮想連結情報構体（virtually concatenated information structure）に変換し該仮想連結情報構体でネットワーク上を転送させる工程とを有し、データ信号の変換はデータ信号のパスオーバーヘッドの処理を含み、パスオーバーヘッド情報の保全性（integrity）は維持されていることを特徴とするＳＤＨネットワークにおけるデータ送信方法を提供する。
【００１０】
本発明は、ネットワーク上転送のため、連続連結信号を仮想連結信号に有効に変換する方法を提供する。
【００１１】
本発明は、上記ＳＤＨネットワークにおけるデータ送信方法を実行する装置を提供する
。
【００１２】
また本発明によるＳＤＨネットワークは、データが仮想連結情報構体に保持されており、ネットワーク上転送のため、ＳＤＨネットワークは連続連結形態で受信された信号が仮想連結形態に変換処理が可能なように設置構成されたトリビタリーカード（tributary cards）（即ち、トリビタリーインターフェイス（（tributary interface））を含んで構成されることを特徴とする。
【００１３】
【発明の実施の形態】
次に、本発明の実施の形態について、図面を参照して詳細に説明する。
【００１４】
本発明の実施の形態において、データ転送は、セットになっている４つの仮想連結されたＶＣ−４信号を有するＶＣ−４−４ｃに相当する仮想連結情報構体により可能とされる。以降、この仮想連結情報構体は、「ＶＣ−４−４ｖｃ」として表記される。「ＶＣ−４−４ｖｃ」は、該仮想連結情報構体がＶＣ−４−４ｃと同様のデータレートを有しているという意味を含み、特にｖｃは仮想連結を意味する。
【００１５】
図１は、同期転送モジュール（ＳＴＭ）を示している。ＳＴＭは、セクションオーバーヘッド（ＳＯＨ（section overhead））、ポインタ、および仮想コンテナ（ＶＣ）を有している。またＶＣは、パスオーバーヘッド（ＰＯＨ）、固定スタッフバイト、およびペイロード用のコンテナ（Ｃ）を順番に有している。
【００１６】
ネットワーク管理システムは、ネットワーク装置の変更を全く必要とすることなく仮想連結されたＶＣ−４ｓの転送を管理する。唯一のハードウェア上の変更は、変更トリビタリーカード（即ち、変更トリビタリーインターフェイス）が追加されることである。変更トリビタリーカードは、ネットワーク境界において、連続連結されたＶＣ−４ｓの受信を確認し、適宜それらＶＣ−４ｓの処理を実行することができる。個々のＶＣ−４ｓ、および仮想連結されたＶＣ−４ｓは同様にＳＤＨネットワークにおいて転送される。従って、４つのＶＣ−４ｓは、仮想連結された場合、４つのパスオーバーヘッドを有する。
【００１７】
標準構成において、変更トリビタリーカードは、その入力部にて受信した信号を、４つの独立したＶＣ−４ｓを含む新たなＳＴＭ−４信号で出力部から出力する。例えば、各ＶＣ−４ｓは、１４０Ｍｂ／ｓ、３×３４Ｍｂ／ｓ、または６３×２Ｍｂ／ｓのマッピングされたＰＤＨ（Plesiochronous Digital Hierachy）信号を含む。しかし新しいトリビタリーカードは、さらに４つの連続連結されたＶＣ−４信号を含むＳＴＭ−４信号を入力にて受信し、出力にて出力することができる。例として、ＡＴＭセルのＳＴＭ−４へのマッピング、ＩＴＵ推奨Ｉ．４３２およびＧ．７０７等が挙げられる。
【００１８】
トリビタリーカードは、入力されるＳＴＭ−４信号の形式をポインタにおける連結表示を適用することにより連続連結信号として認識し、適宜処理をする。
【００１９】
また、その他の選択肢としては、トリビタリーカードは、さらなる要求に対応できるように４つの仮想連結ＶＣ−４信号を含むＳＴＭ−４信号に対応可能なように構成することができる。そのトリビタリーカード、即ちＳＴＭ−４インターフェースはＧ．９５７、Ｇ．９５８の必要条件を満たしている。ＳＤＨネットワーク上におけるＡＴＭ／ＳＴＭ−４信号の転送は明白であり、ＳＤＨパラメータ処理、および動作モニタはＧ．８２６、Ｇ．７０７、Ｇ．７８３、ＥＴＳ３００４１７に基づいて適用されるものである。
【００２０】
ＡＴＭ／ＳＴＭ−４入力ポートにおいて、４つの連結ＶＣ−４ｓのポインタが整列させられる。その結果、新しく生成された４つのＶＣ−４ｓは、以下の説明のように関連のパスオーバーヘッドを処理することで、仮想連結情報構体（ＶＣ−４−４ｖｃ）信号としてネットワークにおける転送のために処理される。
【００２１】
ポインタは、１フレーム持続時間（１２５μｓ）までのＶＣ−４−４ｖｃにおける連結ＶＣ−４ｓの遅延を示すことができるが、これではさらに高い遅延を感知することは不可能である。ＳＤＨネットワーク上を転送される際、一つのＶＣ−４−４ｖｃの中のＶＣ−４毎に異なる遅延（差分遅延）が不明であるため、転送されるＶＣ−４ｓが正しいシーケンスであることを確実とするための処置がとられなければならない。そこでＶＣ−４−４ｖｃにおける各ＶＣ−４ｓのパストレース（Ｊ１）値は、ＶＣ−４−４ｖｃにおける配列（order）を示す固有のコードを与えられる。
【００２２】
また、ＶＣ−４−４ｖｃにおける各ＶＣ−４のフレームが正しく配列されることを確実にすることも必要である。従って、ネットワークが当初のシーケンスを復元することができるよう、Ｈ４バイトがフレームシーケンス表示（ＦＳＩ）として適用される。
【００２３】
必要条件であるぺイロードの種類（たとえばＡＴＭペイロード）を示すため、ＶＣ−４−４ｖｃにおける各ＶＣ−４のＣ２バイトにおいて信号ラベルコードが挿入される。受信した連結ＶＣ−４−４ｃ信号のＢ３バイトが適切に処理され、パスの保全性（integrity）が維持される。
【００２４】
ＶＣ−４−４ｖｃ信号を受信するネットワークノードのバックプレインポート（back-plane port）上では、バッファにより、パストレース値およびフレームシーケンス値により与えられる情報に基づいて、ＶＣ−４−４ｖｃにおける仮想連結されたＶＣ−４ｓが整列させられる。バッファの大きさは、ＶＣ−４−４ｖｃを構成するＶＣ−４ｓ間での異なる遅延のうち最大値（最大差分遅延値）により決まる。例えば、フレームシーケンスを示すため、Ｈ４バイトの適用に基づく８ミリ秒という値が提案されている。しかし、このようなバッファでは法外な大きさになってしまう。そこで絶対最小値で定められる差分遅延値を保証した上で、バッファの大きさを小さくすることが必要である。これは、ＶＣ−４−４ｖｃにおける４つのＶＣ−４ｓが処理され、同時に切替えられ、また同じ同期転送モジュール（ＳＴＭ−４、ＳＴＭ−１６、ＳＴＭ−６４等）および同じネットワーク上の経路において同時に送信されることを確実にすることで可能となる。
【００２５】
ＶＣ−４−４ｖｃにおける何れのＶＣ−４においても、パストレースの不一致は、ＶＣ−４−４ｖｃ信号のパストレース不一致欠陥になる。同様に、信号レベルの不一致、およびＶＣ−４−４ｖｃのＶＣ−４における信号喪失（ＬＯＳ（loss of signal））はＶＣ−４−４ｖｃにおいてアラーム表示信号（ＡＩＳ（alarm indication signal））を発生させる。
【００２６】
ポインタ、連結表示子、および連続連結されたＶＣのパスオーバーヘッドバイトの内容は、仮想連結されたＶＣの中のその他のバイトまたはビットに転送される。適当な未使用ビットには、仮想連結の期間中に適用されない機能に当てられている仮想連結ＶＣの幾つかのパスオーバーヘッドバイト、およびＶＣ−４の一部を形成するコンテナ４（Ｃ４）の固定スタッフビットを含める。
【００２７】
ポインタ、連結表示子、およびパスオーバーヘッドバイトは、信号が連続信号としてネットワーク外に送信される以前に、適切に復元されていなければならない。受信された仮想連結ＶＣ−４−４ｖｃ信号における第１のＶＣ−４フレーム内のパスオーバーヘッド情報は、ネットワーク外送信のために、ネットワークにより生成された連続連結ＶＣ−４−４ｃ信号のパスオーバーヘッドに挿入される。さらに、パスの保全性を維持するため、Ｂ３の値は適切に補正され、連続ＶＣ−４−４ｃパスオーバーヘッドに挿入される。このように、出力ポートは、入力ポートに存在するＳＴＭ信号と同様のＳＴＭ信号を出力する。
【００２８】
典型的なシステム動作において、レポートおよびアラームは要素管理（ＥＭ（element manager））に送られる。ＥＭ（およびＳＤＨネットワーク管理システム）は、ＶＣ−４−４ｖｃに相当するＶＣ−４ｓを好適方法で構成するために必要である。
【００２９】
本発明は、ＶＣ−４−４ｃおよびＶＣ−４−４ｖｃだけに限定されるものではない。本発明は、任意の数のＶＣ−４ｓ、即ちＶＣ−４−ｎｃまたはＶＣ−４−ｎｖｃに対応する。このときｎは２−６４の範囲にあるものとする。
【００３０】
上記実施の形態は、本発明の一実施例として説明されるものであり、本発明の範囲を限定するものではない。具体的には、本発明は、同様にＶＣ−４以外の信号および情報構体（ＶＣ−３、ＶＣ−２、ＶＣ−１等）に対応する。仮想信号構体（ＶＣ−４、ＡＵ３／ＶＣ−３、ＴＵ３／ＶＣ−３、ＶＣ−２、ＶＣ−１２を含む）は、ＩＴＵにより定義されている。例えば、１９９５年発行、ＩＴＵ−ＴＧ．７０７（ドラフト）１１／９５に定義されている。
【００３１】
上記説明の本発明によるＶＣ−４に関連したアレンジおよび方法は、ＶＣ−３信号にも適用可能である。具体的には、これら２種の信号のパスオーバーヘッドは全く同類であり、両信号に適用されるオーバーヘッドバイトの処理方法は同一となる。これはまた同様にトリビタリーユニット３（ＴＵ３）ＶＣ−３に関連する管理ユニット３（ＡＵ３）ＶＣ−３にも適用する。
【００３２】
図２は、低位仮想コンテナＶＣ−２の構成の１部を示している。図２においては、パスオーバーヘッド（ＰＯＨ）バイトＶ５、Ｊ２、Ｎ２、Ｋ４の配置を示すため、ＶＣ−２の第１列のみが図示されている。また固定スタッフビットＲおよびデータビットＤが示されている。第１列における固定スタッフビットは８つの完全バイトを形成し、その他ビットおよびバイトは後に続く列に含まれる（図示されない）。後に続く列（図示されない）は、その詳細な機能は本開示内容と関連しないが上記ＩＴＵ−Ｔ刊行物に詳細が示されているオーバーヘッドビット、調整機会ビットおよび調整制御ビットと共にさらなるデータビットおよびバイトを含んでいる。
【００３３】
図３は、パスオーバーヘッド（ＰＯＨ）バイトＶ５、Ｊ２、Ｎ２、Ｋ４を有する低位仮想コンテナＶＣ−１２の構成を示している。データは、３２バイトの３つのユニットおよび３１バイトの１つのユニットに保持されている。その他のバイトは多様に固定スタッフバイトＲ、オーバーヘッドビットＯ、調整機会ビットＳ、調整制御ビットＣ、およびデータビットＤにより形成される。固定スタッフビットＲは、５つの完全バイトおよびその他３つのバイトの一部を合計４９ビットで形成する。その他バイトの詳細な機能は本開示内容と関連しないが上記ＩＴＵ−Ｔ刊行物に詳細が示されている。
【００３４】
低位ＶＣｓ（ＶＣ−２ｓ、ＶＣ−１ｓ）においては、パスオーバーヘッドバイトの変換は多少異なる。本発明において、連続連結ＶＣ−２およびＶＣ−１信号（ＶＣ−２−５ｃまたはＶＣ−１２−４ｃ）のパスオーバーヘッドバイトＶ５、Ｊ２、Ｎ２、Ｋ４の内容は、仮想連結ＶＣ−２ｓ／ＶＣ−１ｓのその他のバイトまたはビットで転送される。適切な未使用ビットは、固定スタッフバイトＲまたはオーバーヘッドビットＯである。これらオーバーヘッドバイトは、信号が連続信号としてネットワークの外に再送信される前に復元される。
【００３５】
従って、ＶＣ−４、ＶＣ−３、ＶＣ−２、ＶＣ−１は全てＡＴＭまたはＰＤＨネットワーク上において仮想連結または連続連結信号として転送されることが可能である。
【００３６】
【発明の効果】
上記説明にあるように、本発明は高帯域の信号に対応可能なＳＤＨネットワークを提供
することを可能とし、また自身は連続連結された信号を保持することができないＳＤＨネットワーク上において、連続連結の仮想コンテナにデータを保持するＳＴＭ信号の情報内容の転送を支持する。
【図面の簡単な説明】
【図１】  関連技術である高位の情報構体、ＶＣ−４信号を示す図である。
【図２】  関連技術である低位の情報構体の一部、ＶＣ−２信号を示す図である。
【図３】  関連技術である低位の情報構体、ＶＣ−１２信号を示す図である。
【符号の説明】
Ｊ１、Ｂ３、Ｃ２、Ｇ１、Ｆ２、Ｈ４、Ｆ３、Ｋ３、Ｎ１  パスオーバーヘッドバイト
Ｖ５、Ｊ２、Ｎ２、Ｋ４  パスオーバーヘッドバイト
Ｒ  固定スタッフビット
Ｄ  データビット
Ｏ  オーバーヘッドビット
Ｓ  調整機会ビット
Ｃ  調整制御ビット
【図１】
0004009666.tif 000002
【図２】
0004009666.tif 000003
【図３】
0004009666.tif 000004